(57)【要約】【課題】プラズマディスプレイ装置の製造費用を減少させ、かつデータ伝送による信号損失及びノイズの発生を減少させ、画面に表示されるデータのノイズを低減させ得るプラズマディスプレイパネルの駆動装置を提供すること。【解決手段】本発明のプラズマディスプレイ装置は、入力された映像信号を処理して、映像データを出力するためのｍ個のチャネルを有するコントローラと、前記ｍ個のチャネルを介して、前記映像データを伝送するためのデータ伝送部と、前記データ伝送部から入力された前記映像データから変換されたアドレス指定データを出力するためのｎ個（ｎ＞ｍ）のチャネルを有するデータ整列部を有し、前記アドレス指定データに応じて、アドレス指定パルスを出力するデータ駆動部と、前記アドレス指定パルスを供給される電極を有するプラズマディスプレイパネルとを備えるプラズマディスプレイ装置。【選択図】図５
2006243738.tif 000002
【特許請求の範囲】
【請求項１】
入力された映像信号を処理して、映像データを出力するためのｍ個のチャネルを有するコントローラと、
前記ｍ個のチャネルを介して、前記映像データを伝送するためのデータ伝送部と、
前記データ伝送部から入力された前記映像データから変換されたアドレス指定データを出力するためのｎ個（ｎは、ｍより大きい自然数）のチャネルを有するデータ整列部を有し、前記アドレス指定データに応じて、アドレス指定パルスを出力するデータ駆動部と、
前記アドレス指定パルスを供給される電極を有するプラズマディスプレイパネルと
を備えることを特徴とするプラズマディスプレイ装置。
【請求項２】
前記データ整列部は、サブフィールド別に整列されたアドレス指定データを出力することを特徴とする請求項１に記載のプラズマディスプレイ装置。
【請求項３】
前記データ駆動部は、１つの駆動ボードに形成されることを特徴とする請求項１に記載のプラズマディスプレイ装置。
【請求項４】
前記データ駆動部は、２つ以上の駆動ボードに形成され、
前記データ整列部は、前記２つ以上の駆動ボードのうちのいずれかの駆動ボードに形成され、
前記いずれかの駆動ボード上に形成されたデータ整列部と残りの駆動ボードとを接続するケーブルをさらに備えることを特徴とする請求項１に記載のプラズマディスプレイ装置。
【請求項５】
前記データ駆動部は、前記アドレス指定パルスを生成するｐ個のドライブＩＣを有し、
前記データ整列部は、前記ｐ個のドライブＩＣにｑビットアドレス指定データを印加するために、ｐ×ｑ個以上のピンを有することを特徴とする請求項１に記載のプラズマディスプレイ装置。
【請求項６】
入力された映像信号を処理して、映像データを出力するためのｍ個のチャネルを有するコントローラと、
前記ｍ個のチャネルを介して、前記映像データを伝送するためのデータ伝送部と、
前記データ伝送部から入力された前記映像データから変換されたアドレス指定データを出力するためのｎ個（ｎは、ｍより大きい自然数）のチャネルを有するデータ整列部を有し、前記アドレス指定データに応じて、アドレス指定パルスを出力するデータ駆動部と、
前記アドレス指定パルスを供給される電極を有するプラズマディスプレイパネルと
を備え、
前記コントローラは、前記データ伝送部を介して、前記映像データを１つのフレーム期間のうちの入力期間において、前記データ整列部に伝送することを特徴とするプラズマディスプレイ装置。
【請求項７】
前記データ整列部は、サブフィールド別に整列されたアドレス指定データを出力することを特徴とする請求項６に記載のプラズマディスプレイ装置。
【請求項８】
前記データ駆動部は、１つの駆動ボードに形成されることを特徴とする請求項６に記載のプラズマディスプレイ装置。
【請求項９】
前記データ駆動部は、２つ以上の駆動ボードに形成され、
前記データ整列部は、前記２つ以上の駆動ボードのうちのいずれかの駆動ボードに形成され、
前記いずれかの駆動ボード上に形成されたデータ整列部と残りの駆動ボードとを接続するケーブルをさらに備えることを特徴とする請求項６に記載のプラズマディスプレイ装置。
【請求項１０】
前記データ駆動部は、前記アドレス指定パルスを生成するｐ個のドライブＩＣを有し、
前記データ整列部は、前記ｐ個のドライブＩＣに前記ｑビットアドレス指定データを印加するために、ｐ×ｑ個以上のピンを有することを特徴とする請求項６に記載のプラズマディスプレイ装置。
【請求項１１】
前記フレーム期間は、リセット期間、アドレス期間及びサステイン期間を含み、
前記入力期間は、前記リセット期間、アドレス期間又はサステイン期間のうちの少なくとも１つの期間であることを特徴とする請求項６に記載のプラズマディスプレイ装置。
【請求項１２】
入力された映像信号を処理して、映像データを出力するためのｒ個のチャネルを有するコントローラと、
前記ｒ個のチャネルを介して、前記映像データを伝送するためのデータ伝送部と、
前記データ伝送部から入力された前記映像データから変換されたアドレス指定データを出力するためのｓ個（ｓは、rより大きい自然数）のチャネルを有するデータ整列部を有し、前記アドレス指定データに応じて、アドレス指定パルスを出力するデータ駆動部と、
前記アドレス指定パルスを供給受けるる電極を有するプラズマディスプレイパネルと
を備え、
前記コントローラが前記データ伝送部を介して伝送する前記映像データは、差分信号であることを特徴とするプラズマディスプレイ装置。
【請求項１３】
前記データ整列部は、サブフィールド別に整列されたアドレス指定データを出力することを特徴とする請求項１２に記載のプラズマディスプレイ装置。
【請求項１４】
前記データ駆動部は、１つの駆動ボードに形成されることを特徴とする請求項１２に記載のプラズマディスプレイ装置。
【請求項１５】
前記データ駆動部は、２つ以上の駆動ボードに形成され、
前記データ整列部は、前記２つ以上の駆動ボードのうちのいずれかの駆動ボードに形成され、
前記いずれかの駆動ボード上に形成されたデータ整列部と残りの駆動ボードとを接続するケーブルをさらに備えることを特徴とする請求項１２に記載のプラズマディスプレイ装置。
【請求項１６】
前記データ駆動部は、前記アドレス指定パルスを生成するｐ個のドライブＩＣを有し、
前記データ整列部は、前記ｐ個のドライブＩＣにｑビットのアドレス指定データを印加するために、ｐ×ｑ個以上のピンを有することを特徴とする請求項１２に記載のプラズマディスプレイ装置。
【請求項１７】
前記コントローラは、前記データ伝送部を介して、前記映像データを１つのフレーム期間のうちの入力期間において、前記データ整列部に伝送することを特徴とする請求項１２に記載のプラズマディスプレイ装置。
【請求項１８】
前記フレーム期間は、リセット期間、アドレス期間及びサステイン期間を含み、
前記入力期間は、前記リセット期間、アドレス期間又はサステイン期間のうちの少なくとも１つの期間であることを特徴とする請求項１７に記載のプラズマディスプレイ装置。
【請求項１９】
前記コントローラは、ＬＶＤＳ（Ｌｏｗ  Ｖｏｌｔａｇｅ  Ｄｉｆｆｅｒｅｎｔｉａｌ  Ｓｉｇｎａｌｉｎｇ）又はＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のうちのいずれかの方式により前記差分信号を伝送することを特徴とする請求項１２に記載のプラズマディスプレイ装置。
【請求項２０】
入力された映像信号を処理して、映像データを出力するためのｒ個のチャネルを有するコントローラと、
前記ｒ個（ｒは、２０以下の自然数）のチャネルを介して伝送された前記映像データを伝送するためのデータ伝送部と、
前記データ伝送部から入力された前記映像データから変換されたアドレス指定データを出力するためのｓ個（ｓは、rより大きい自然数）のチャネルを有するデータ整列部を有し、前記アドレス指定データに応じて、アドレス指定パルスを出力するデータ駆動部と、
前記アドレス指定パルスを供給される電極を有するプラズマディスプレイパネルと
を備え、
前記コントローラが前記データ伝送部を介して伝送する前記映像データは、差分信号であることを特徴とするプラズマディスプレイ装置。
【請求項２１】
前記データ整列部は、サブフィールド別に整列されたアドレス指定データを出力することを特徴とする請求項２０に記載のプラズマディスプレイ装置。
【請求項２２】
前記データ駆動部は、前記アドレス指定パルスを生成するｐ個のドライブＩＣを有し、
前記データ整列部は、前記ｐ個のドライブＩＣにｑビットの前記アドレス指定データを印加するために、ｐ×ｑ個以上のピンを有することを特徴とする請求項２０に記載のプラズマディスプレイ装置。
【請求項２３】
前記コントローラは、前記データ伝送部を介して、前記映像データを１つのフレーム期間のうちの入力期間において、前記データ整列部に伝送することを特徴とする請求項２０に記載のプラズマディスプレイ装置。
【請求項２４】
前記フレーム期間は、リセット期間、アドレス期間及びサステイン期間を含み、
前記入力期間は、前記リセット期間、アドレス期間又はサステイン期間のうちの少なくとも１つの期間であることを特徴とする請求項２３に記載のプラズマディスプレイ装置。
【請求項２５】
前記コントローラは、ＬＶＤＳ又はＴＭＤＳのうちのいずれかの方式により前記差分信号を伝送することを特徴とする請求項２０に記載のプラズマディスプレイ装置。
【発明の詳細な説明】
【技術分野】
【０００１】
本発明は、プラズマディスプレイ装置に関する。
【背景技術】
【０００２】
図１は、通常のプラズマディスプレイパネルの構造を示した図である。図１に示したように、従来のプラズマディスプレイパネルは、前面パネル１００と後面パネル１１０とからなる。前面パネル１００は、前面ガラス基板１０１を有し、後面パネル１１０は、後面ガラス基板１１１を有する。前面パネル１００と後面パネル１１０は、一定距離を隔てて平行に結合される。
【０００３】
前面ガラス基板１０１上には、相互放電によりセルの発光を維持するためのスキャン電極１０２及びサステイン電極１０３が形成される。スキャン電極１０２及びサステイン電極１０３のそれぞれは、透明なＩＴＯ物質からなる透明電極１０２ａ，１０３ａと、金属材質で製作されたバス電極１０２ｂ，１０３ｂからなる。スキャン電極１０２は、パネルスキャンのためのスキャン信号と放電維持のための維持信号とを受信する。サステイン電極１０３は、主に、維持信号を受信する。上部誘電体層１０４は、スキャン電極１０２及びサステイン電極１０３の上部に形成され、放電電流を制限し、電極間を絶縁させる。保護層１０５は、上部誘電体層１０４の上面に形成され、放電条件を容易にするために、酸化マグネシウム（ＭｇＯ）からなる。
【０００４】
後面ガラス基板１１１上には、スキャン電極１０２及びサステイン電極１０３と交差するように、アドレス電極１１３が形成される。下部誘電体層１１５は、アドレス電極１１３の上部に形成され、アドレス電極間１１３を絶縁させる。隔壁１１２は、下部誘電体層１１５上に形成され、放電セルを形成する。蛍光層１１４は、隔壁１１２と隔壁１１２との間に塗布されて、画像の表示のための可視光線を放出する。
【０００５】
前面ガラス基板１０１及び後面ガラス基板１１１は、シール材（sealing material）により合着され、ヘリウム（Ｈｅ）、ネオン（Ｎｅ）、キセノン（Ｘｅ）などの不活性ガスは、排気工程が行われた後に、プラズマディスプレイパネルの内部に注入される。
【０００６】
以下、図２を参照して、従来のプラズマディスプレイパネルにより階調を実現する方法について説明する。
【０００７】
図２は、従来のプラズマディスプレイパネルの画像階調を実現する方法を示した図である。図２に示したように、フレーム期間１６．６７ｍｓは、８つのサブフィールドＳＦ１乃至ＳＦ８に分割され、８つのサブフィールドＳＦ１乃至ＳＦ８のそれぞれは、リセット期間、アドレス期間及びサステイン期間に再び分割される。
【０００８】
各サブフィールドのリセット期間及びアドレス期間は、各サブフィールドごとに同じである。アドレス期間では、アドレス放電が発生する。アドレス放電は、アドレス電極とスキャン電極との間の電圧差により起きる。サステイン期間は、各サブフィールドにおいて、２ｎ（但し、ｎ＝０，１，２，３，４，５，６，７）の割合で増加する。各サブフィールドにおいて、サステイン期間が変わるので、各サブフィールドのサステイン期間を調節して、画像の階調が表現される。
【０００９】
以下、図３を参照して、画像の階調を表現するためのプラズマディスプレイ装置について説明する。
【００１０】
図３は、従来のプラズマディスプレイ装置を説明するための図である。図３に示したように、従来のプラズマディスプレイ装置は、データ駆動ボード３１０、スキャン駆動ボード３２０、サステイン駆動ボード３３０及びコントロールボード３４０を備える。
【００１１】
データ駆動ボード３１０は、アドレス期間の間、アドレス電極にアドレスパルスを印加する。スキャン駆動ボード３２０は、スキャン電極にリセット期間の間、リセットパルスを印加し、アドレス期間の間、スキャンパルスを印加し、サステイン期間の間、サステインパルスを印加する。サステイン駆動ボード３３０は、サステイン期間の間、サステインパルスをサステイン電極に印加する。コントロールボード３４０は、データ駆動ボード３１０、スキャン駆動ボード３２０及びサステイン駆動ボード３３０から各々の電極に印加されるパルスを制御するデータを、各々の駆動ボードに印加する。このようなコントロールボード３４０について、さらに詳細に説明すれば、以下の図４の通りである。
【００１２】
図４は、従来のプラズマディスプレイ装置のコントロールボードを示した図である。図４に示したように、従来のコントロールボード３４０は、映像信号受信部４１０、映像信号処理部４２０、データ整列部４３０を備える。
【００１３】
映像信号受信部４１０は、外部から入力される映像信号を受信して、８ビットの初期映像データに変換して、映像信号処理部４３０に出力する。
【００１４】
映像信号処理部４２０は、映像信号受信部４１０から受信した初期映像データを逆ガンマ補正、ゲイン制御、ハーフトーニング及びサブフィールドマッピング過程を経て、プラズマディスプレイパネルに適した映像データに変換する。
【００１５】
データ整列部４３０は、映像信号処理部４２０から入力された映像データをサブフィールド別に整列して、アドレス指定データに変換する。データ整列部４３０は、アドレス指定データを、図３のケーブル３５０を介して、データ駆動ボード３１０に出力する。
【発明の開示】
【発明が解決しようとする課題】
【００１６】
しかし、プラズマディスプレイパネルは、高解像度をサポートするので、コントローラ３４０のデータ整列部４３０からデータ駆動ボード３１０に、アドレス指定データを伝送するケーブル３５０のチャネルの数が増加して、プラズマディスプレイ装置の製造費用が増加するという問題が発生する。
【００１７】
また、プラズマディスプレイパネルの大きさが大きくなるほど、ケーブル３５０の長さも長くなるので、ケーブル３５０を介して伝送されるアドレス指定データの信号損失が発生し、クロストーク（cross-talk）が発生する。特に、アドレス指定データがＴＴＬ（transistor-to-transistor）方式で伝送される場合、信号損失及びノイズの発生はさらに大きくなる。
【００１８】
そこで、本発明は、上記した従来の問題を解決するためになされたものであって、その目的は、データ伝送部のチャネルの数を減少させることにある。
【００１９】
また、本発明の他の目的は、データ伝送部のチャネルの数を減少させて、プラズマディスプレイ装置の製造費用を減少させることにある。
【００２０】
また、本発明のさらに他の目的は、データ伝送による信号損失及びノイズの発生を減少させることにある。
【００２１】
また、本発明のさらに他の目的は、プラズマディスプレイパネルの駆動装置を改善して、画面に表示されるデータのノイズを低減させ得るプラズマディスプレイパネルの駆動装置を提供することにある。
【課題を解決するための手段】
【００２２】
本発明の実施形態に係るプラズマディスプレイ装置は、入力された映像信号を処理して、映像データを出力するためのｍ個のチャネルを有するコントローラと、前記ｍ個のチャネルを介して、前記映像データを伝送するためのデータ伝送部と、前記データ伝送部から入力された前記映像データから変換されたアドレス指定データを出力するためのｎ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備える。ｎは、ｍより大きい自然数である。
【００２３】
また、本発明の実施形態に係るプラズマディスプレイ装置は、入力された映像信号を処理して、映像データを出力するためのｍ個のチャネルを有するコントローラと、前記ｍ個のチャネルを介して、前記映像データを伝送するためのデータ伝送部と、前記データ伝送部から入力された前記映像データから変換されたアドレス指定データを出力するためのｎ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラは、前記データ伝送部を介して、前記映像データを１つのフレーム期間のうちの入力期間において、前記データ整列部に伝送する。ｎは、ｍより大きい自然数である。
【００２４】
また、本発明の実施形態に係るプラズマディスプレイ装置は、入力された映像信号を処理して、映像データを出力するためのｒ個のチャネルを有するコントローラと、前記ｒ個のチャネルを介して、前記映像データを伝送するためのデータ伝送部と、前記データ伝送部から入力された前記映像データから変換されたアドレス指定データを出力するためのｓ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラが前記データ伝送部を介して伝送する前記映像データは、差分信号である。ｓは、rより大きい自然数である。
【００２５】
また、本発明の実施形態に係るプラズマディスプレイ装置は、入力された映像信号を処理して、映像データを出力するためのｒ個のチャネルを有するコントローラと、前記ｒ個（ｒは、２０以下の自然数）のチャネルを介して伝送された前記映像データを伝送するためのデータ伝送部と、前記データ伝送部から入力された前記映像データから変換されたアドレス指定データを出力するためのｓ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラが前記データ伝送部を介して伝送する前記映像データは、差分信号である。ｓは、rより大きい自然数である。
【発明の効果】
【００２６】
本発明の実施形態に係るプラズマディスプレイ装置によれば、プラズマディスプレイ装置の製造費用を低減することができる。
【００２７】
また、本発明の実施形態に係るプラズマディスプレイ装置によれば、データ伝送による信号損失及びノイズを低減することができる。
【発明を実施するための最良の形態】
【００２８】
本発明の実施形態に係るプラズマディスプレイ装置は、入力された映像信号を処理して、映像データを出力するためのｍ個のチャネルを有するコントローラと、前記ｍ個のチャネルを介して、前記映像データを伝送するためのデータ伝送部と、前記データ伝送部から入力された前記映像データから変換されたアドレス指定データを出力するためのｎ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備える。ｎは、ｍより大きい自然数である。
【００２９】
前記データ整列部は、サブフィールド別に整列されたアドレス指定データを出力することができる。
【００３０】
前記データ駆動部は、１つの駆動ボードに形成されることができる。
【００３１】
前記データ駆動部は、２つ以上の駆動ボードに形成され、前記データ整列部は、前記２つ以上の駆動ボードのうちのいずれかの駆動ボードに形成され、前記いずれかの駆動ボード上に形成されたデータ整列部と残りの駆動ボードとを接続するケーブルをさらに備えることができる。
【００３２】
前記データ駆動部は、前記アドレス指定パルスを生成するｐ個のドライブＩＣを有し、前記データ整列部は、前記ｐ個のドライブＩＣにｑビットアドレス指定データを印加するために、ｐ×ｑ個以上のピンを有することができる。
【００３３】
本発明の実施形態に係るプラズマディスプレイ装置は、入力された映像信号を処理して、映像データを出力するためのｍ個のチャネルを有するコントローラと、前記ｍ個のチャネルを介して、前記映像データを伝送するためのデータ伝送部と、前記データ伝送部から入力された前記映像データから変換されたアドレス指定データを出力するためのｎ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラは、前記データ伝送部を介して、前記映像データを１つのフレーム期間のうちの入力期間において、前記データ整列部に伝送する。ｎは、ｍより大きい自然数である。
【００３４】
前記フレーム期間は、リセット期間、アドレス期間及びサステイン期間を含み、前記入力期間は、前記リセット期間、アドレス期間又はサステイン期間のうちの少なくとも１つの期間であり得る。
【００３５】
本発明の実施形態に係るプラズマディスプレイ装置は、入力された映像信号を処理して、映像データを出力するためのｒ個のチャネルを有するコントローラと、前記ｒ個のチャネルを介して、前記映像データを伝送するためのデータ伝送部と、前記データ伝送部から入力された前記映像データから変換されたアドレス指定データを出力するためのｓ個のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラが前記データ伝送部を介して伝送する前記映像データは、差分信号である。ｓは、rより大きい自然数である。
【００３６】
前記コントローラは、ＬＶＤＳ（Ｌｏｗ  Ｖｏｌｔａｇｅ  Ｄｉｆｆｅｒｅｎｔｉａｌ  Ｓｉｇｎａｌｉｎｇ）又はＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のうちのいずれかの方式により前記差分信号を伝送することができる。
【００３７】
本発明の実施形態に係るプラズマディスプレイ装置は、入力された映像信号を処理して、映像データを出力するためのｒ個のチャネルを有するコントローラと、前記ｒ個（ｒは、２０以下の自然数）のチャネルを介して伝送された前記映像データを伝送するためのデータ伝送部と、前記データ伝送部から入力された前記映像データから変換されたアドレス指定データを出力するためのｓ個（ｓは、rより大きい自然数）のチャネルを有するデータ整列部を有し、前記アドレス指定データに応じて、アドレス指定パルスを出力するデータ駆動部と、前記アドレス指定パルスを供給される電極を有するプラズマディスプレイパネルとを備え、前記コントローラが前記データ伝送部を介して伝送する前記映像データは、差分信号である。ｓは、rより大きい自然数である。
【００３８】
以下、本発明の最も好ましい実施形態を、添付した図面を参照して詳細に説明する。
【００３９】
＜第１の実施形態＞
【００４０】
図５は、本発明の第１の実施形態に係るプラズマディスプレイ装置を説明するための図である。図５に示したように、本発明の第１の実施形態に係るプラズマディスプレイ装置は、コントローラ５１０、データ伝送部５２０、データ駆動部５３０、プラズマディスプレイパネル５４０、スキャン駆動部５５０及びサステイン駆動部５６０を備える。コントローラ５１０、データ駆動部５３０、スキャン駆動部５５０及びサステイン駆動部５６０のうちの少なくとも１つは、駆動ボードに形成することができる。
【００４１】
コントローラ５１０は、データ駆動部５３０、スキャン駆動部５５０及びサステイン駆動部５６０の動作を制御し、入力された映像信号を処理して映像データを出力するためのｍ個のチャネルを有する。
【００４２】
データ伝送部５２０は、ｍ個のチャネルを介して伝送された映像データを伝送する。データ伝送部５２０は、ケーブルを有する。データ伝送部５２０は、ｍ個のチャネルだけでなく、制御信号の伝送のための制御チャネルをさらに有することができる。また、データ伝送部５２０は、ダミーチャネル（dummy channel）をさらに有することができる。
【００４３】
データ駆動部５３０は、データ伝送部５２０から入力された映像データから変換されたアドレス指定データを出力するためのｎ個（ｎは、ｍより大きい自然数）のチャネルを有するデータ整列部を備える。また、データ駆動部５３０は、アドレス指定データに応じてアドレス指定パルスを出力する。
【００４４】
プラズマディスプレイパネル５４０は、アドレス期間にデータ駆動部５３０からアドレス指定パルスを供給されるアドレス電極を有する。
【００４５】
スキャン駆動部５５０は、プラズマディスプレイパネル５４０のスキャン電極にリセットパルスをリセット期間に印加し、スキャンパルスをアドレス期間に印加し、サステインパルスをサステイン期間に印加する。
【００４６】
サステイン駆動部５６０は、プラズマディスプレイパネル５４０のサステイン電極にサステインパルスをサステイン期間に印加する。
【００４７】
本発明の第１の実施形態に係るプラズマディスプレイ装置のデータ駆動部５３０は、データ整列部を有しているため、データ伝送部５２０のチャネルの数が低減する。すなわち、従来のように、コントローラがデータ整列部を有する場合、データ整列部は、ｍ個のチャネルを介して映像データを受信して、ｎ個（ｎ＞ｍ）のチャネルを介してアドレス指定データを出力する。したがって、ケーブルのようなデータ伝送部は、ｍより大きいｎ個のチャネルを有する。
【００４８】
しかしながら、本発明の第１の実施形態に係るプラズマディスプレイ装置のデータ駆動部５３０は、データ整列部を有しているため、データ駆動部５３０のデータ整列部は、データ伝送部５２０のｍ個チャネルを介して映像データを受信して、ｎ個のチャネルを介してアドレス指定データを出力する。
【００４９】
すなわち、従来のプラズマディスプレイ装置のデータ伝送部は、ｎ個のチャネルを有するのに対し、本発明の第１の実施形態に係るプラズマディスプレイ装置のデータ伝送部５２０は、ｍ個（ｍ＜ｎ）のチャネルを有する。
【００５０】
データ伝送部５２０のチャネルの数が低減するによって、本発明の第１の実施形態に係るプラズマディスプレイ装置の製造費用は減少する。
【００５１】
本発明の第１の実施形態に係るプラズマディスプレイ装置のコントローラ５１０及びデータ駆動部５３０について、図６ａ及び図６ｂを参照して詳細に説明する。
【００５２】
図６ａは、本発明の第１の実施形態に係るプラズマディスプレイ装置のコントローラを示した図であり、図６ｂは、本発明の第１の実施形態に係るプラズマディスプレイ装置のデータ駆動部を示した図である。
【００５３】
図６ａ及び図６ｂに示したように、コントローラ５１０は、映像信号受信部５１１及び映像信号処理部５１３を有し、データ駆動部５３０は、データ整列部５３１及びドライブＩＣ５３３を有する。
【００５４】
映像信号受信部５１１は、外部から入力される映像信号を受信して、映像信号処理部５１３に出力する。映像信号受信部５１１は、映像信号を受信して、Ｒ(Ｒｅｄ)，Ｇ(Ｇｒｅｅｎ)，Ｂ(Ｂｌｕｅ)のそれぞれの８ビットのデータを出力する。また、図５のように、プラズマディスプレイパネル５４０の上部及び下部にデータ駆動部５３０がある場合、映像信号受信部５１１は、デュアルチャネルをサポートしなければならないので、４８個（＝８×３×２）のチャネルを介して初期映像データを出力する。
【００５５】
映像信号処理部５１３は、映像信号受信部５１１から初期映像データを受信して、逆ガンマ補正、ゲイン制御、ハーフトーニング及びサブフィールドマッピングを行って、映像データを出力する。映像信号処理部５１３は、Ｒ，Ｇ，Ｂのそれぞれの１６ビットのデータとデュアルチャネルを支援しなければならないので、９６チャネル（１６*３*２＝９６）を含む。１６ビットのデータは、マッピングされたサブフィールドに対する情報を含む。これにより、コントローラ５１０は、９６チャネル（＝ｍ）を有する。
【００５６】
データ伝送部５２０は、９６チャネル（＝ｍ）を介して受信した映像データをデータ駆動部５３０に伝送する。したがって、データ伝送部５２０は、９６チャネル（＝ｍ）をサポートする。データ伝送部５２０は、制御信号の伝達のために、制御チャネルをさらに有することができる。また、データ伝送部５２０は、ダミーチャネルをさらに有することができる。
【００５７】
図６ｂに示したように、データ駆動部５３０のデータ整列部５３１は、データ伝送部５２０から映像データを受信して、サブフィールド別に再整列することによって、アドレス指定データを生成する。データ整列部５３１は、ｐ個のドライブＩＣ５３３にｑビットのデータを伝送するために、ｎ個のチャネル（＝ｐ×ｑ）を支援する。データ整列部５３１は、１ライン上に位置したセルに該当するアドレス指定データを、３２回にかけてドライブＩＣ５３３に伝送するので、ＸＧＡの場合、１３２チャネル（＝ｎ）を支援し、Ｆｕｌｌ  ＨＤの場合、１８０チャネル（＝ｎ）を支援する。
【００５８】
ドライブＩＣ５３３は、データ整列部５３１からアドレス指定データを受信して、アドレス指定データに該当するアドレスパルスを生成し、プラズマディスプレイパネルのアドレス電極に供給する。
【００５９】
従来のように、コントローラがデータ整列部を有する場合、データ伝送部は、１８０チャネル（Ｆｕｌｌ  ＨＤの場合）を支援しなければならないのに対し、本発明の第１の実施形態に係るプラズマディスプレイ装置のように、データ駆動部５３０がデータ伝送部５３１を有する場合、データ伝送部５２０は、９６チャネルのみを支援すれば良いので、プラズマディスプレイ装置の製造費用が減少する。
【００６０】
本発明の第１の実施形態に係るプラズマディスプレイ装置では、データ駆動部５３０は、１つの駆動ボードに形成されることができる。すなわち、プラズマディスプレイパネルの上部と下部にそれぞれ位置したデータ駆動部５３０は、１つの駆動ボードに形成されることができる。
【００６１】
図７は、本発明の第１の実施形態に係るプラズマディスプレイ装置の動作を説明するためのタイミングチャートである。図６ｂのデータ整列部５３１が、１フレームに該当する映像データを格納することができるメモリを有する場合、データ駆動部５３０のデータ整列部５３１は、コントローラ５１０から１フレーム期間のうちの任意の入力期間において、映像データを受信することができる。本発明の第２の実施形態において、入力期間は、１つのフレームに含まれたサブフィールドのリセット期間、アドレス期間又はサステイン期間のうちの少なくとも１つの期間である。しかし、従来のプラズマディスプレイ装置では、データ整列部がコントローラに備えられているため、データ駆動部は、１つのサブフィールドのアドレス指定期間のみに映像データを伝送される。
【００６２】
＜実施形態２＞
【００６３】
図８は、本発明の第２の実施形態に係るプラズマディスプレイパネルの駆動装置を説明するための図である。図８に示したように、本発明の第２の実施形態に係るプラズマディスプレイ装置は、コントローラ５１０、データ伝送部５２０、データ駆動部５３０、プラズマディスプレイパネル５４０、スキャン駆動部５５０及びサステイン駆動部５６０を備える。コントローラ５１０、データ駆動部５３０、スキャン駆動部５５０又はサステイン駆動部５６０のうちの少なくとも１つは、駆動ボードに形成されることができる。
【００６４】
本発明の第２の実施形態に係るプラズマディスプレイ装置のコントローラ５１０、データ伝送部５２０、プラズマディスプレイパネル５４０、スキャン駆動部５５０及びサステイン駆動部５６０は、本発明の第１の実施形態と同様なので、詳細な説明を省略する。
【００６５】
本発明の第２の実施形態に係るプラズマディスプレイ装置のデータ駆動部５３０は、第１の実施形態とは異なり、複数のデータ駆動ボード５３０ａ〜５３０ｄ、５３０ｅ〜５３０ｈに形成される。これにより、データ整列部とドライブＩＣのインターフェス構造は、第１の実施形態と異なる。
【００６６】
図９は、本発明の第２の実施形態に係るプラズマディスプレイ装置のデータ駆動部を示した図である。図９に示したように、複数のデータ駆動ボードのうちのデータ駆動ボード５３０ｃは、データ整列部５３１とドライブＩＣ５３３とを有する。
【００６７】
図９に示したように、データ駆動ボード５３０ｃのデータ整列部５３１は、データ伝送部５２０から映像データを受信して、サブフィールド別に再整列することによって、アドレス指定データを生成する。データ整列部５３１は、ｐ個のドライブＩＣ５３３にｑビットのデータを伝送するために、ｎ個のチャネル（＝ｐ×ｑ）を支援する。データ整列部５３１は、１ライン上に位置したセルに該当するアドレス指定データを３２回にかけてドライブＩＣ５３３に伝送するので、ＸＧＡの場合、１３２チャネル（＝ｎ）を支援し、Ｆｕｌｌ  ＨＤの場合、１８０チャネル（＝ｎ）を支援する。
【００６８】
本発明の第２の実施形態に係るデータ整列部５３１は、４８チャネルを介して、アドレス指定データをデータ駆動ボード５３０ｃのデータドライバーＩＣ５３３に伝送し、４８チャネルを介して、アドレス指定データをデータ駆動ボード５３０ｄのデータドライバーＩＣ（図示せず）に伝送し、８４チャネルを介して、アドレス指定データをデータ駆動ボード５３０ａ，５３０ｂに伝送する。１つのデータ駆動ボード５３０ｃと残りのデータ駆動ボード５３０ａ，５３０ｂ，５３０ｄは、コネクターＣｏｎによって接続する。
【００６９】
ドライブＩＣ５３３は、データ整列部５３１からアドレス指定データを受信して、アドレス指定データに該当するアドレスパルスを生成し、プラズマディスプレイパネルのアドレス電極に供給する。
【００７０】
従来のように、コントローラがデータ整列部を有する場合、データ伝送部は、１８０チャネルを支援しなければならないが、本発明の第２の実施形態に係るプラズマディスプレイ装置のように、データ駆動部５３０がデータ伝送部５３１を有する場合、データ伝送部５２０は、９６チャネルのみを支援すれば良いので、プラズマディスプレイ装置の製造費用が減少する。
【００７１】
本発明の第２の実施形態に係るプラズマディスプレイ装置もまた、第１の実施形態と同様に、図９のデータ整列部５３１が１フレームに該当する映像データを格納し得るメモリを含む場合、データ駆動部５３０のデータ整列部５３１は、コントローラ５１０から１フレーム期間のうちの任意の入力期間に映像データを受信することができる。本発明の第２の実施形態において、入力期間は、１つのフレームに含まれたサブフィールドのリセット期間、アドレス期間又はサステイン期間のうちの少なくとも１つの期間である。しかし、従来のプラズマディスプレイ装置では、データ整列部がコントローラに備えられているため、データ駆動部は、１つのサブフィールドのアドレス指定期間のみに映像データを伝送される。
【００７２】
＜第３の実施形態＞
【００７３】
図１０は、本発明の第３の実施形態に係るプラズマディスプレイ装置を説明するための図である。図１０に示したように、本発明の第３の実施形態に係るプラズマディスプレイ装置は、コントローラ５１０´、データ伝送部５２０´、データ駆動部５３０´、プラズマディスプレイパネル５４０、スキャン駆動部５５０及びサステイン駆動部５６０を備える。コントローラ５１０、データ駆動部５３０、スキャン駆動部５５０又はサステイン駆動部５６０のうちの少なくとも１つは、駆動ボードに形成されることができる。本発明の第３の実施形態におけるプラズマディスプレイパネル５４０、スキャン駆動部５５０及びサステイン駆動部５６０は、本発明の第２の実施形態と同様なので、詳細な説明は省略する。
【００７４】
本発明の第３の実施形態におけるコントローラ５１０´は、映像データを差分信号形態で伝送する。これにより、本発明の第３の実施形態におけるコントローラ５１０´は、１６チャネル（＝ｒ）を介して映像データを出力するので、データ伝送部５２０´は、１６チャネルを支援する。コントローラ５１０´は、ＬＶＤＳ（Ｌｏｗ  Ｖｏｌｔａｇｅ  Ｄｉｆｆｅｒｅｎｔｉａｌ  Ｓｉｇｎａｌｉｎｇ）又はＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のうちのいずれかの方式により前記差分信号を伝送する。本発明の第３の実施形態のように、コントローラ５１０´が差分信号形態で映像データを伝送する場合、データ伝送部５２０´が支援するチャネルの数は、２０チャネル以下である。データ伝送部５２０´は、制御信号の伝達のために、制御チャネルをさらに含むことができる。また、データ伝送部５２０´は、ダミーチャネルをさらに含むことができる。
【００７５】
図１１ａは、本発明の第３の実施形態に係るプラズマディスプレイ装置のコントローラを示した図である。図１１ｂは、本発明の第３の実施形態に係るプラズマディスプレイ装置のデータ駆動部を示した図である。
【００７６】
図１１ａに示したように、映像信号受信部５１１´は、外部から入力される映像信号を受信して、映像信号処理部５１３´に出力する。映像信号受信部５１１´は、映像信号を受信して、Ｒ（Ｒｅｄ），Ｇ（Ｇｒｅｅｎ），Ｂ（Ｂｌｕｅ）のそれぞれの８ビットのデータを出力する。また、図１０のように、プラズマディスプレイパネル５４０の上部及び下部にデータ駆動部５３０´がある場合、映像信号受信部５１１´は、デュアルチャネルを支援しなければならないので、４８個（＝８×３×２）のチャネルを介して初期映像データを出力する。
【００７７】
映像信号処理部５１３´は、映像信号受信部５１１から初期映像データを受信して、逆ガンマ補正、ゲイン制御、ハーフトーニング及びサブフィールドマッピングを行って、映像データを出力する。映像信号処理部５１３は、映像データを差分信号方式により伝送する。第１の実施形態及び第２の実施形態における映像データは、７４．２５ＭＨｚであるため、７４．２５ＭＨｚの映像データは、９６チャネルを介して伝送される。第３の実施形態における映像データは、１４８．５ＭＨｚの映像データに変換されて、ＬＶＳＤ又はＴＭＤＳのうちのいずれかの方式による伝送されれば、１６チャネル（＝ｒ）を介して伝送されることができる。したがって、本発明の第３の実施形態におけるデータ伝送部が支援するチャネルの数は、さらに低減する。また、差分信号は、ノイズに強く、ＴＴＬ信号に比べて、長距離伝送に有利である。
【００７８】
図１１ｂに示したように、データ駆動部５３０´のデータ整列部５３１´は、１６チャネル（＝ｒ）を介して入力された映像データをサブフィールド別に再整列して、アドレス指定データを生成する。データ整列部５３１´は、ｐ個のドライブＩＣ５３３´にｑビットのデータを伝送するために、ｓ個のチャネル（＝ｐ×ｑ）を支援する。データ整列部５３１´は、１ライン上に位置したセルに該当するアドレス指定データを、３２回にかけてドライブＩＣ５３３´に伝送するので、ＸＧＡの場合、１３２チャネル（＝ｓ）を支援し、Ｆｕｌｌ  ＨＤの場合、１８０チャネル（＝ｓ）を支援する。
【００７９】
本発明の第３の実施形態に係るプラズマディスプレイ装置もまた、第１の実施形態と同様に、図１１ｂのデータ整列部５３１´が１フレームに該当する映像データを格納することができるメモリを含む場合、データ駆動部５３０´のデータ整列部５３１´は、コントローラ５１０´から１フレーム期間のうちの任意の入力期間に映像データを受信することができる。本発明の第３の実施形態において、入力期間は、１つのフレームに含まれたサブフィールドのリセット期間、アドレス期間又はサステイン期間のうちの少なくとも１つの期間である。しかし、従来のプラズマディスプレイ装置では、データ整列部がコントローラに備えられているため、データ駆動部は、１つのサブフィールドのアドレス指定期間のみに映像データを伝送される。
【００８０】
なお、本発明は、上記した実施形態に限定されるものではなく、本発明に係る技術的思想の範囲から逸脱しない範囲内で様々な変更が可能であり、それらも本発明の技術的範囲に属する。
【図面の簡単な説明】
【００８１】
【図１】通常のプラズマディスプレイパネルの構造を示した図である。
【図２】従来のプラズマディスプレイパネルの画像階調を実現する方法を示した図である。
【図３】従来のプラズマディスプレイ装置を説明するための図である。
【図４】従来のプラズマディスプレイ装置のコントロールボードを示した図である。
【図５】本発明の第１の実施形態に係るプラズマディスプレイ装置を説明するための図である。
【図６ａ】本発明の第１の実施形態に係るプラズマディスプレイ装置のコントローラを示した図である。
【図６ｂ】本発明の第１の実施形態に係るプラズマディスプレイ装置のデータ駆動部を示した図である。
【図７】本発明の第１の実施形態に係るプラズマディスプレイ装置の動作を説明するためのタイミングチャートである。
【図８】本発明の第２の実施形態に係るプラズマディスプレイパネルの駆動装置を説明するための図である。
【図９】本発明の第２の実施形態に係るプラズマディスプレイ装置のデータ駆動部を示した図である。
【図１０】本発明の第３の実施形態に係るプラズマディスプレイ装置を説明するための図である。
【図１１ａ】本発明の第３の実施形態に係るプラズマディスプレイ装置のコントローラを示した図である。
【図１１ｂ】本発明の第３の実施形態に係るプラズマディスプレイ装置のデータ駆動部を示した図である。
【図１】
2006243738.tif 000003
【図２】
2006243738.tif 000004
【図３】
2006243738.tif 000005
【図４】
2006243738.tif 000006
【図５】
2006243738.tif 000007
【図６ａ】
2006243738.tif 000008
【図６ｂ】
2006243738.tif 000009
【図７】
2006243738.tif 000010
【図８】
2006243738.tif 000011
【図９】
2006243738.tif 000012
【図１０】
2006243738.tif 000013
【図１１ａ】
2006243738.tif 000014
【図１１ｂ】
2006243738.tif 000015